(57)【要約】      （修正有）【課題】電力センサ診断システムにおいて、保守費の増大や、故障機能を実装するためのセンサ単体のコスト増を抑えつつ、検出電力量の値の信頼性を継続的に担保する。【解決手段】複数の負荷設備の消費電力量をそれぞれ検出する複数の下位層電力センサと、下位層電力センサの上層に配置され配下の複数の負荷設備の消費電力量の総和を検出する上位層電力センサと、それそれの電力センサにより検出された負荷設備の消費電力量をそれぞれ電力データとして収集するとともに、収集した個々の電力センサの電力データに、階層構造を持つ個々の電力センサシステムの識別情報を付与する収集サーバ３０と、収集サーバから前記識別情報を含む電力データを取得すると、取得データのうち、上位層電力センサと下位層電力センサ間の電力データを比較することにより各電力センサの故障を診断する管理サーバ２０と、電力センサの故障診断結果を表示する端末１０とを備える。【選択図】図１
2013164703.tif 000002
【特許請求の範囲】
【請求項１】
複数の負荷設備の消費電力量をそれぞれ検出し計測する複数の下位層電力センサシステムと、
前記下位層電力センサシステムの上層に配置され配下の前記複数の負荷設備の消費電力量の総和を検出し計測する上位層電力センサシステムと、
それぞれの電力センサシステムにより検出され計測された負荷設備の消費電力量をそれぞれ電力データとして収集し格納するとともに、格納したそれぞれの電力センサシステムの電力データに、階層構造を持つ  それぞれの電力センサシステムの識別情報を付与する収集サーバと、
前記収集サーバに格納された前記識別情報を含む電力データを取得すると、取得データのうち、上位層電力センサシステムと下位層電力センサシステム間の電力データを比較することにより各電力センサシステムの故障を診断する管理サーバと、
前記管理サーバによる前記電力センサシステムの故障診断結果を表示可能な端末と
を備えたことを特徴とする電力センサ自動診断システム。
【請求項２】
請求項１において、
前記管理サーバは、上位層電力センサシステムの電力データ値が下位層電力センサシステムの電力データ値より大きい場合、下位層電力センサシステムの何れかを故障と診断し、上位層電力センサシステムの電力データ値が下位層電力センサシステムの電力データ値より小さい場合、上位層電力センサシステムの何れかを故障と診断することを特徴とする電力センサ自動診断システム。
【請求項３】
請求項１において、
前記管理サーバは、上位層電力センサシステムの電力データ値と下位層電力センサシステムの電力データ値とが等しいと判定した後に、何れかの電力センサシステムによる検出電力値の０を検出した場合は、この電力センサシステムに対応する負荷設備のブレーカー断、またはこの電力センサシステムに対応する負荷設備無しと診断することを特徴とする電力センサ自動診断システム。
【請求項４】
請求項２において、
前記複数の下位層電力センサシステムに対応して設けられ、前記複数の負荷設備の消費電力量をそれぞれ検出し計測する複数の補助電力センサシステムを備え、
前記管理サーバは、上位層電力センサシステムの電力データ値が下位層電力センサシステムの電力データ値より大きい場合は、下位層電力センサシステムにより検出され計測された電力データ値と、対応する補助電力センサシステムにより検出され計測された電力データ値とを比較し、下位層電力センサシステムの電力データ値が補助電力センサシステムの電力データ値より大きい場合は補助電力センサシステムを故障と診断し、下位層電力センサシステムの電力データ値が補助電力センサシステムの電力データ値より小さい場合は下位層電力センサシステムを故障と診断することを特徴とする電力センサ自動診断システム。
【請求項５】
請求項１において、
前記管理サーバは、上位層電力センサシステムの電力データ値と下位層電力センサシステムの電力データ値との差の許容値を前記端末の設定操作に基づき設定することを特徴とする電力センサ自動診断システム。
【請求項６】
請求項１〜４の何れかの請求項において、
前記管理サーバは、前記電力センサシステムの故障診断の間隔を前記端末の設定操作に基づき設定することを特徴とする電力センサ自動診断システム。
【請求項７】
請求項１〜６の何れかの請求項において、
前記収集サーバは、各電力センサシステム毎にデータを収集することにより、各電力センサシステムが配下にあることを把握し、前記把握に基づいて各電力センサシステムの階層化された配置状況を表す前記階層構造を生成し、前記階層構造は前記管理サーバにより管理されることを特徴とする電力センサ自動診断システム。
【請求項８】
請求項１〜７の何れかの請求項において、
前記電力センサシステムは、上位層、前記上位層の配下である中間層および前記中間層の配下である下位層の各層毎の前記階層構造として配置されて前記管理サーバにより管理され、
前記電力センサシステムの配置状況を表す前記階層構造は前記端末に表示可能であり、
前記端末は表示された前記階層構造の中で全階層および部分階層の何れかの階層範囲の選択が可能であるとともに、選択された階層範囲に属する電力センサシステムの表示が可能であり、
前記管理サーバは、前記端末により選択された階層範囲に属する電力センサシステムの診断実行が前記端末から指示されると、前記選択された階層範囲に属する電力センサシステムの故障診断を実行することを特徴とする電力センサ自動診断システム。
【発明の詳細な説明】
【技術分野】
【０００１】
本発明は、電力センサ自動診断システムに関する。
【背景技術】
【０００２】
計量されたエネルギー量（電力量）値の信頼性を向上するシステム等は既に存在している（非特許文献１）。ところが、このような従来のシステムは、電力量データ欠測時に前後の電力量データから値を推定し、補う欠測データ補完機能であり、データを収集する際のバッチ処理における誤り補正としては有効であるが、欠測に至る事象そのものが、バッチ処理おけるシステムエラーなのか、センサ自体の故障（ブレーカ断）なのか、実際に負荷設備側が欠測時に無負荷状態であった、などの事象を切り分けるには至らない。つまり、欠測時の電力量補正値そのものが実態と合致しているかどうかの判断が極めて困難であり、データそのものの信頼性という観点では疑問が残る。よって、結果的には欠測に至った調査を別途実施する必要があり、運用面における保守費の低減にもつながり難いこととなる。よって、エネルギー量の値の信頼性を継続的に担保したシステムであるとは言い難い。
【０００３】
一方、例えば東京都環境確保条例に基づくオフィスビルディング等の省エネルギー活動の推進において、まずどのようにエネルギーが使われているかを把握するため、計量・計測により見える化することが重要となっている。見える化することにより、新しい省エネルギーの種を発見するとともに、取り組んだ省エネルギーの効果を継続的に確認することが可能となる。これは先の東日本大震災により、より拘束力を持った削減義務として課せられることで、省エネルギー活動の推進がより強く求められている。
【０００４】
この趨勢により、様々なエネルギー管理システムの開発が各社から提案されており、一定の効果が事例として示されている。しかしながら、前述のエネルギー管理システムの運用面、取分け計量されたエネルギー量（電力量）値の信頼性を継続的に担保するためには、システムの重要な構成物品となる電力センサの保守が必須となる。これについての具体的な保守対応としては、電力管理者（建物管理者）が、電力センサ各一点毎の精度を確認するためのフィールド試験を定期的に実施しているのが実状であり、人工を含む保守費の増大（（センサ数＋故障探索時間）∝ 保守費）が課題となっている。この保守費の増大や、センサ単体のコストを抑え、且つエネルギー量の値の信頼性を継続的に担保するためには、精緻化された電力センサの自動診断機能をエネルギー管理システムに具備する必要がある。
【０００５】
特に、分電盤内の各配電ブレーカ（分岐回路）等に実装される電力センサが、何らかの影響で何れかが故障した際、その当該の配電ブレーカ（分岐回路）に紐付く各負荷設備の消費電力が、システム上で収集することが出来ずに、恰も当該ブレーカの電力量がゼロ（負荷設備なし）であるとクライアントPCの画面上では表現されてしまう。また、電力センサ自体には構造上故障診断を促す機能はなく（盤内という限られたスペース的制約と、センサ単体のコスト増（実装するセンサ数 ∝ コスト増）につながるため、単体実装は極めて困難）、それがセンサ自体の故障なのか、実際に負荷設備がないのかなどの判断が極めて困難である。
【先行技術文献】
【非特許文献】
【０００６】
【非特許文献１】省エネ運用データ収集分析ツール：SatTool（パナソニック電工エンジニアリング株式会社）、http://group.panasonic-denko.co.jp/pewjeg/pdf_data/6/sattool.pdf
【発明の概要】
【発明が解決しようとする課題】
【０００７】
本発明は上記事項に着目してなされたもので、その目的とするところは、保守費の増大や、故障機能を実装するためのセンサ単体のコスト増を抑えつつ、エネルギー量の値の信頼性を継続的に担保する新たなシステムを提供することにある。
【課題を解決するための手段】
【０００８】
このような課題を解決するために本発明は、複数の負荷設備の消費電力量をそれぞれ検出し計測する複数の下位層電力センサシステムと、下位層電力センサシステムの上層に配置され配下の前記複数の負荷設備の消費電力量の総和を検出し計測する上位層電力センサシステムと、それぞれの電力センサシステムにより検出され計測された負荷設備の消費電力量をそれぞれ電力データとして収集し格納するとともに、格納したそれぞれの電力センサシステムの電力データに、階層構造を有するそれぞれの電力センサシステムの識別情報を付与する収集サーバと、収集サーバに格納された前記識別情報を含む電力データを取得すると、取得データのうち、上位層電力センサシステムと下位層電力センサシステム間の電力データを比較することにより各電力センサシステムの故障を診断する管理サーバと、管理サーバによる前記電力センサシステムの故障診断結果を表示可能な端末とを備えたことを特徴とする。
【０００９】
ここで、管理サーバは、上位層電力センサシステムの電力データ値が下位層電力センサシステムの電力データ値より大きい場合、下位層電力センサシステムの何れかを故障と診断し、上位層電力センサシステムの電力データ値が下位層電力センサシステムの電力データ値より小さい場合、上位層電力センサシステムの何れかを故障と診断する。
また、管理サーバは、上位層電力センサシステムの電力データ値と下位層電力センサシステムの電力データ値とが等しいと判定した後に、何れかの電力センサシステムによる検出電力値の０を検出した場合は、この電力センサシステムに対応する負荷設備用のブレーカー断、またはこの電力センサシステムに対応する負荷電力無しと診断する。
【００１０】
さらに、複数の下位層電力センサシステムに対応して設けられる、複数の負荷設備の消費電力量をそれぞれ検出し計測する複数の補助電力センサシステムを備え、管理サーバは、上位層電力センサシステムの電力データ値が下位層電力センサシステムの電力データ値より大きい場合は、下位層電力センサシステムにより検出され計測された電力データ値と、対応する補助電力センサシステムにより検出され計測された電力データ値とを比較し、下位層電力センサシステムの電力データ値が補助電力センサシステムの電力データ値より大きい場合は補助電力センサシステムを故障と診断し、下位層電力センサシステムの電力データ値が補助電力センサシステムの電力データ値より小さい場合は下位層電力センサシステムを故障と診断する。
【００１１】
また、管理サーバは、上位層電力センサシステムの電力データ値と下位層電力センサシステムの電力データ値との差の許容値を端末の設定操作に基づき設定する。
また、管理サーバは、前記電力センサシステムの故障診断の間隔を端末の設定操作に基づき設定する。
また、収集サーバは、各電力センサシステム毎にデータを収集することにより、各電力センサシステムが配下にあることを把握し、前記把握に基づいて各電力センサシステムの階層化された配置状況を表す前記階層構造を生成し、前記階層構造は管理サーバにより管理される。
【００１２】
また、電力センサシステムは、上位層、前記上位層の配下である中間層および前記中間層の配下である下位層の各層毎の前記階層構造として配置されて前記管理サーバにより管理され、電力センサシステムの配置状況を表す前記階層構造は端末に表示可能であり、端末は表示された前記階層構造の中で全階層および部分階層の何れかの階層範囲の選択が可能であるとともに、選択された階層範囲に属する電力センサシステムの表示が可能であり、管理サーバは、端末により選択された階層範囲に属する電力センサシステムの診断実行が端末から指示されると、選択された階層範囲に属する電力センサシステムの故障診断を実行する。
【発明の効果】
【００１３】
本発明は、電力管理者（建物管理者）が、電力センサ各一点毎の精度を確認するためのフィールド試験を定期的に実施している実状による、人工を含む保守費の増大（（センサ数＋故障探索時間）∝ 保守費）や、センサ単体のコストを抑え、且つエネルギー量の値の信頼性を継続的に担保するための、精緻化された電力センサの自動診断機能を備えた電力センサ自動診断技術であるので、階層構造化管理をシステム上で自動処理することにより、エネルギー管理システムのアセットマネジメントの提供の実現が可能になる。
【図面の簡単な説明】
【００１４】
【図１】本発明のシステム構成の概要を示す図である。
【図２】診断実行・結果通知画面を示す図である。
【図３】補足画面を示す図である。
【図４】自動診断設定画面を示す図である。
【図５】自動診断機能のシーケンス図である。
【図６】診断結果取得のシーケンス図である。
【図７】階層構造における比較計算処理の事例を示す図である。
【図８】階層構造における比較計算処理の基本アルゴリズムを示す図である。
【図９】階層構造における比較計算処理のアルゴリズム（Ｚ層におけるアルゴリズム）を示す図である。
【図１０】クラスタリング設定機能画面を示す図である。
【図１１】自動補正機能（許容値設定画面）を示す図である。
【図１２】自動補正機能（補正値確定アルゴリズム）を示す図である。
【図１３】自動補正機能を示す図である。
【図１４】システム構成例を示す図である。
【発明を実施するための形態】
【００１５】
以下に図面と表を参照して本発明の実施の形態を示す。
（第一の実施の形態）
本発明の第一の実施の形態では、電力管理者（建物管理者）が、電力センサ各一点毎の精度を確認するためのフィールド試験を定期的に実施することなく、クライアントＰＣ上でこれら判断が可能となるエネルギー管理システムのアセットマネジメントの提供を実現した電力センサ自動診断システムを提案する。
【００１６】
図１は、本発明のシステム構成の概要を示す図であり、表１は、本発明の構成品の機能概要を示す表である。これらに示すように、情報を要求する任意の位置にある各クライアントＰＣ１０（クライアント端末）のブラウザからデータ管理システムサーバ２０に対し、事前設定した階層構造体の全比較データ、または指定した範囲の比較データ取得を要求することにより、要求された比較結果を正確にアンサーバックするためのシステム構成の全容である。尚、データ管理システムサーバ２０は、内部のデータ収集取込みツール２１により、配下のデータ収集システムサーバ３０に対して、定期的にバッチ処理の要求をかける。また、内部のデータ管理ＤＢ２２にて、予めHeader情報に基づき階層構造毎に分類・計算して上位層と下位層とを比較するための事前処理を行い、データ表示ＡＰ２３からの要求範囲における比較結果を同ＡＰ２３に返送する（尚、リモートによる定期通知も可能）。
【００１７】
また、データ収集システムサーバ３０は、内部のデータ収集ＡＰ３１により、各電力センサシステム４０からの電力量情報を収集し、内部のデータ収集ＤＢ３２内に各電力情報として格納する。更には、同ＤＢ３２内で保存した各データに階層構造を表すHeader情報（各電力センサシステムの識別情報）をそれぞれに印加する加工を行う。これら一連の処理により、各電力センサシステムの状態（診断結果）をクライアントが自身のブラウザ上で確認することができる。
【００１８】
【表１】
2013164703.tif 000003
【００１９】
（第二の実施の形態）
図２は、電力センサシステム４０の診断実行とその結果を確認することができる画面を示した図である。
このように、診断したい階層をクライアント側で任意に選択し、診断実行ボタンをクリックすることで、選択した階層内の電力センサシステムの状態診断を開始（マニュアル診断機能）する。そして、その診断結果が同一画面上に展開される。また、クライアント側の操作は最大３ステップと、極めてシンプルな構成となっており、初めて使用するユーザでも簡単に操作を行うことが可能である。また更には、図３に示す通り、階層構造と配電系統との関係を一目で確認できる補足機能も具備している。
【００２０】
（第三の実施の形態）
図４は、クライアントの操作を必要としない自己診断機能（任意（設定機能あり））の実施の形態である。
クライアントの任意な診断タイミングの設定により、設定された時間間隔で電力センサシステム４０の診断を開始し、診断結果を通知することを可能とする、GUI（Graphic User Interface）を示した図である。このように、プルダウンメニューから任意の診断間隔をクライアントが設定することにより、自動で設定された間隔で診断を開始する。なお、時刻同期は、NTP（Network Time Protocol）で同期を取り診断間隔の正確性を確保している。また、診断結果は、図２の結果通知欄に示される。図５は、本実施の形態のシーケンス図を示したものである。
【００２１】
（第四の実施の形態）
図６は、診断結果取得のシーケンスを示した図である。
このように、データ収集ＡＰ３１によって得た個々の電力センサシステム４０のデータに、階層構造を示すためのHeader情報（すなわち、個々の電力センサシステムの識別情報）をデータ収集ＤＢ３２において付与し、最新データとして格納する（Ｓ２１、Ｓ２２，Ｓ２３，Ｓ２４）。そして、収集データ取り込みツール２１により、システム上で設定したバッチ処理タイミングで最新データを取得する（Ｓ２５，Ｓ２６，Ｓ２７）。ついでデータ管理ＤＢ２２において、取得した最新データを、Header情報をもとに階層毎に比較計算処理を実施後、保持する（Ｓ２８，Ｓ２９，Ｓ３０）。これにより、クライアント側のリクエスト（Ｓ３１）に対して、すぐさまレスポンスを返せる状態が維持できることとなる。なお、各電力センサシステムの上流にあるデータ収集システムサーバ３０は、上述のように各電力センサシステム毎にデータを収集し、各電力センサシステムが配下にあるかを把握し、これに基づいて例えば図７，図１０などに示すような各電力センサシステムの階層化された配置状況を表す前記階層構造を生成し、データ収集ＤＢ３２に格納して管理するとともに、前記階層構造はデータ管理システムサーバ２０のデータ管理ＤＢ２２にも格納されてデータ管理システムサーバ２０により管理される。
【００２２】
（第五の実施の形態）
図７は、階層構造における比較計算処理方法の事例を示した図である。
この例に示すように、一つの階層構造体にＸ層、Ｙ層、Ｚ層などのレイヤーがあり、例えばＸ層のセンサａの状態を診断するための簡単な処理動作として、一段下位のセンサｂ、センサｃの電力データ値を積算し、センサａの示す電力データ値との比較を行うことにより、センサａが正常であるか異常であるかを判断するものである。ただしこの例では、Ｘ層のセンサａの状態が判別できるに過ぎない。
【００２３】
そこで次に、同層のセンサｂ、センサｃの何れかが異常である場合の具体的な例を説明する。例として、センサｂ，ｃの中で、センサｃが何らかの影響で故障したケースと仮定したとすると、当然ではあるが、センサｃの電力データ値はゼロとなる。
【００２４】
しかし実態はセンサｃの電力系統は配下の負荷に対して送電を続けている状態なので、上位のセンサａの示す値との関係式は、[センサa ＞（センサｂ＋センサｃ）]となる。つまり、Ｘ層のセンサｂ若しくはセンサｃが故障しているというのがシステム上判明する。更にＹ層を同様に比較計算処理を実施することで、この例であれば、[センサｃ＜（センサｈ＋ｉ＋ｊ＋ｋ）]という関係が導けるので、必然的にセンサｃが故障しているということをシステム上で把握することが可能となる。
【００２５】
ただし、[センサａ＝（センサｂ＋センサｃ）]の関係であったとしても、実際には何らかの影響（操作も含む）で、何れかの当該ブレーカが遮断（OFF）状態、または負荷電力がゼロとなった可能性もある。よってシステム上で電力センサの検出電力値がゼロとなった時点（バッチ処理後）で、その情報をクライアント側に通知（図２の結果通知欄に示される）する機能をも具備している。これにより電力センサの故障なのか、ブレーカが遮断または負荷電力なしなのかの切り分けを自動で可能としている。この一連の比較方法の処理手順を示したのが、図８の階層構造における比較計算処理事例（基本アルゴリズム）であり、診断結果の内訳を示したのが表２である。
【００２６】
【表２】
2013164703.tif 000004
【００２７】
また例として、Ｚ層における比較方法の処理手順を示したのが、図９である。
この例に示すように、先ずは、[(センサd＋e＋f＋g) = (補助センサA＋B＋C＋D)]という関係式が成立するかの比較処理を実施し（Ｓ５１〜Ｓ５４）、成立しない場合には、図７に示すＺ１、Ｚ２、Ｚ３、Ｚ４ひとつひとつの比較処理を実施する（Ｓ６０，Ｓ６４，Ｓ６８，Ｓ７２）アルゴリズムとなっている。
【００２８】
この場合、センサと補助センサとの関係は常に１対１であるので、正常であればy=axという関係が必ず成立することとなる。つまり、比較処理の結果、この関係が成立していなければ、前述で説明した関係式（y＞x , y＜x）となるので、この場合、異常としてクライアントに通知（図２の結果通知欄に示される）する機能となっている。なお、既述の一連の比較計算アルゴリズムは、レイヤー別における同時複合的なセンサ故障の発生にも有効性を示す。
【００２９】
また更に、図７に示す通り、全下位センサの状態を一度に確認する処理手順を合わせて具備することで、クライアント側での全階層診断の要求に対する処理速度（アンサーバック）の向上を実現させている（ただし、どのセンサが故障しているかまでの特定はできないので、あくまでどこかのセンサの故障あり、なしを返す程度の簡易診断方式）。なお、補助センサを使用しない（電力センサ（最下層）の何れかが異常と通知）廉価版仕様も本システムとして用意している。
【００３０】
（第六の実施の形態）
図１０は、クラスタリング設定機能の画面構成を示した図である。
ここに示す通り、クラスタリングを変更したい階層をクライアント側で任意に選択することで、選択された階層の構成図が同一画面上に展開される。その画面上に展開された構成図をもとに個別にクラスタリングしたい階層を自由に選択（センサ選択）することができる（選択後、センサの枠内の色が変化する）。また、選択したセンサの階層に応じて、その配下の下位センサ全ては自動で選択状態となる。
【００３１】
そして、新たに設定したクラスタリングの名称を、ユニークな固有名称として、クライアント側で任意に入力することができ、確定ボタンをクリックすることにより、設定された条件が仮確定されると同時に、ポップアップ画面が表示され、「はい」で本確定となる。なお、設定情報をもとに計算処理範囲が自動生成され、図２の階層選択プルダウンメニューに自動反映されることとなる。また、過去に設定したクラスタリングの一覧を確認するライブラリー機能も具備している。
【００３２】
（第七の実施の形態）
図１１は、自動診断の精度を確保するための自動補正機能（許容値設定）画面構成を示した図である。
このように、電力系統間で生じる電力損失、およびセンサ自体の検知精度誤差における自動基準補正に更に任意操作により許容値を入力できる画面構成を示している。具体的には、先ず許容値を入力（変更）したい階層、対象間をプルダウンメニューから選択することができる。すると、選択した階層、対象間の自動補正値、前回確定した許容値を確認することができる。
【００３３】
そして、その情報をもとに対象間の許容値（基準補正値から±数％）をクライアントが任意に入力することができる。なお、入力可能許容値は0.1%（下限）〜100%（上限）としている。次いで、確定ボタンをクリックすることにより、設定された条件が仮確定されると同時に、ポップアップ画面が表示され、「はい」で本確定となる。
【００３４】
図１２は、その一連の操作に対応するシステム上での動作（処理）を示したアルゴリズムである。
なお、許容値の入力についてはあくまで任意選択であり、自動基準補正のみでも、その条件をもとに診断動作可能である。
【００３５】
図１３は、自動補正機能の事例を示した図である。
ここで示す通り、それぞれの上位、またそれぞれ従属する下位の１日の電力量をモニタし、その平均値をそれぞれ算出してその差分を導き出すことによって、設定するfundamentalを確定させる。そして、任意な許容値（本例では基準補正値から±50%）を入力する、つまり、誤動作（誤った比較による誤検知）を回避させるチューニングを事前に行うことで、自動診断の信頼性を向上させている。
【００３６】
これら機能により、様々な使用用途（建物規模）に応じて生じる電力損失、およびセンサ自体の検知精度誤差に対応した、信頼性の高い電力センサの自動診断を可能としている。なお、本実施の形態は自動補正機能に関わる実施形態（構成）の一例であり、実現形態については本例に限らないものとする。
【００３７】
（第八の実施の形態）
図１４は、本システムのシステム構成例（センサ部ハード構成例）を示した図である。
これは、本システムの主機能となる電力センサ自動診断を可能とする、ハード面における基本構成を示したものである。なお、第五の実施の形態でも触れたが、図中にも示した補助センサを使用しない（電力センサ（最下層）の何れかが異常と通知）廉価版仕様も本システムとして用意している。
【００３８】
以上の説明により、本発明は、電力管理者（建物管理者）が、電力センサ各一点毎の精度を確認するためのフィールド試験を定期的に実施している実状による、人工を含む保守費の増大（（センサ数＋故障探索時間）∝ 保守費）や、センサ単体のコストを抑え、且つエネルギー量の値の信頼性を継続的に担保するための、精緻化された電力センサの自動診断機能を備えた電力センサ自動診断技術と言え、前述の階層構造化管理をシステム上で自動処理することにより、エネルギー管理システムのアセットマネジメントの提供を実現している。更には、ユーザの要望により任意にデータ表示ＡＰのカスタマイズが可能であり、また、様々なエネルギー管理システムとの連携が行えるシステム間I/Fを具備した構造等、柔軟性を持って導入プランの検討が行えるなど、優れたアセットマネジメント・ソリューションの実現を本発明により可能としている点にある。
【符号の説明】
【００３９】
１０…クライアントＰＣ（クライアント端末）、２０…データ管理システムサーバ、２１…収集データ取り込みツール、２２…データ管理ＤＢ、２３…データ表示ＡＰ、３０…データ収集システムサーバ、３１…データ収集ＡＰ、３２…データ収集ＤＢ、４０…電力センサシステム。
【図５】
2013164703.tif 000005
【図６】
2013164703.tif 000006
【図７】
2013164703.tif 000007
【図８】
2013164703.tif 000008
【図９】
2013164703.tif 000009
【図１２】
2013164703.tif 000010
【図１４】
2013164703.tif 000011
【図１】
2013164703.tif 000012
【図２】
2013164703.tif 000013
【図３】
2013164703.tif 000014
【図４】
2013164703.tif 000015
【図１０】
2013164703.tif 000016
【図１１】
2013164703.tif 000017
【図１３】
2013164703.tif 000018